(57)【要約】      （修正有）【課題】テニスラケットやソフトテニスラケット、バドミントンラケット、卓球ラケットなどの打球用具のグリッププレートであって、グリップを握りやすく、ボールをラケット面で一定時間保持していくための手首の屈折を容易にし、手のひらや手首、肘などへの負荷を軽減させる凸曲線（Ｒ）形状プレートを提供する。【解決手段】テニスラケットやソフトテニスラケット、バドミントンラケット、卓球ラケットなどグリップを親指と人差し指間で握る辺において、（１）底面が平らなものであり、（２）一定の厚みがあり、（３）両端が垂直な断面である、以上の（１）〜（３）の構成からなる凸曲線（Ｒ）形状プレートとする。【選択図】図１
0003233782.tif 000002
【実用新案登録請求の範囲】
【請求項１】
テニスラケットやソフトテニスラケット、バドミントンラケット、卓球ラケットなどグリップを親指と人差し指間で握る辺に凸曲線（Ｒ）形状のプレートを設ける。プレートは、底面が平らなものと底面が凸曲線（Ｒ）のものがある。また、プレートには一定の厚みがあり、プレート幅の両端は垂直な断面になるものである。図１
【請求項２】
凸曲線（Ｒ）は、グリップの外皮やエンドキャップを外した状態のグリップ底の八角形や六角形、四角形の角がすべて円に接点し収まる円の凸曲線（Ｒ）である。また、その円から各角形を除いたものを利用したものが凸曲線（Ｒ）形状のプレートである。図２
【請求項３】
プレートの凸曲線（Ｒ）は、グリップ底の八角形や六角形、四角形の角すべてが接点し収まるものであり、そのグリップ底の対角に線を引き、その線が最も長い線が直径となる円の曲線である。また、その円と接している角形を除いて利用したものが、凸曲線（Ｒ）形状のプレートである。なお、プレートを親指と人差し指間以外の握る辺にも設けて、グリップを握りやすくすることを可能とする。図３ア
また、グリップ底の形の角がすべて円に接点しない場合は、円に接点している角から相対する底辺角に延ばした線の交わる点を半径とした円の凸曲線（Ｒ）である。また、これを利用したものが凸曲線（Ｒ）形状のプレートである。なお、プレートを親指と人差し指間以外の握る辺にも設けて、グリップを握りやすくすることを可能とする。図３イ
【請求項４】
凸曲線（Ｒ）形状のプレートは、グリップ形成部の外皮を剥がしたフレームに接着する方法と外皮上に接着する方法によりグリップとして一体化する。図４
【請求項５】
凸曲線（Ｒ）形状のプレートの幅の長さは、グリップ辺の幅の長さと同じである。図５
【請求項６】
凸曲線（Ｒ）形状のプレートの長さは任意の長さとし、グリップの長さを最長とする。プレートのグリップエンド側は底面が上面より短く、底面から上面に向かって、グリップエンドの高さに合わせた傾斜となる。また、プレートのスロート側の上部は、滑らかな曲線となる。図６
【請求項７】
凸曲線（Ｒ）形状のプレートの素材は、ゴム製や合成樹脂などである。いずれも軽量のものが素材となる。また、硬さが固定のものや手の握りの圧力で収縮するもの、形状を記憶するものなどである。図７
【請求項８】
凸曲線（Ｒ）形状のプレートにグリップテープを付けて、グリップテープとしての一体化を可能とする。図８
【考案の詳細な説明】
【技術分野】
【０００１】  本考案は、スポーツ用具のうち、テニスラケットやソフトテニスラケット、バドミントンラケット、卓球ラケットなどの打球用具のグリップを親指と人差し指間で握る辺に凸曲線（Ｒ）形状のプレートを設け、グリップを握りやすく、ボールをラケット面で一定時間保持していくための手首の屈折を容易にし、手のひらや手首、肘などへの負荷を軽減させるグリッププレートに関するものである。
【背景技術】
【０００２】  打球用具の野球のバットの打つ面は多面であるため握る箇所は球体面である。球体面は握りやすいことと全身の力を使いやすいという特徴がある。
テニスラケットのグリップ面も握りやすさから球体面が求められるが、テニスラケットの面は単面であり、握る箇所が球体面では握りにブレがあり、そのブレを防止するために握る箇所は角体面になっている。主な角体面は真平で扁平した短辺と長辺の八角形である。
単面の打球用具のグリップを握るとき、親指と人差し指間に凸曲線（Ｒ）があるグリップの先行技術文献は見当たらない。
【考案の概要】
【考案が解決しようとする課題】
【０００３】  ラケットグリップを握るスポーツでは、ボールをラケット面で一定時間保持していくために手首の屈折が必要である。手首を屈折した状態でグリップを握るためには、握りやすいグリップが必要である。握りやすいグリップは、親指と人差し指の間が安定して握られるものである必要がある。
スポーツ用具のうち、テニスラケットなどのグリップを有する打球用具には、真平で扁平し角張った角体面のものが多くある。この真平で扁平した角体面グリップを人差し指の付け根と小指側の手のひらの下の部分で握っている現状では、手首の屈折が上手くできず、正確に安定したボールは打てない。また、この人差し指の付け根と小指側の手のひらの下の部分で、真平で扁平した角体面のグリップを握って打っても、全身の力を使った打ち方にはならず、強く打ちたいときは手首や肘、腕などを捻ったり振り回している状態であり、当然ながら手首や肘などを痛める原因となっている。
また、昨今のテニス打法は、真平で扁平した角体面の長辺を親指と人差し指間で握るセミウエスタングリップやウエスタングリップが主流である。この打法は全身の力でボールを打つ打法であるが、長辺の角張ったグリップを親指と人差し指を挟んで握ることは、大変難しく安定して握られない。グリップを安定して握られない状態は、ボールを全身の力で正確に打てないことになる。また、手のひらや手首、肘などの疲労や特に手のひらが小さいプレーヤーなどには難しい握り方である。
【課題を解決するための手段】
【０００４】  人間が物を握りやすくするために、物には様々な凸曲線（Ｒ）がある。人間が物を掴むことや握るためには、親指の他に対向している人差し指や中指、薬指、小指を使う。これを拇指対向という。この拇指対向の機能は、人間が物を掴み握りやすくするために親指と対向する四指との間に凹曲線（Ｒ）があることを意味している。物を掴み握るときに最初に親指と対向するのは人差し指である。この親指と人差し指間の凹曲線（Ｒ）によって、手のひらである五指が物を掴み握るときの最大限の効果が発揮される。この機能が拇指対向力であり、グリップ力である。この機能を活かすと手首の屈折が容易になり、全身の力を使った打法が可能になることや正確に安定した自在のボールを打つことができ、かつ相手からの打球の負荷を全身で受け止めかつその力を利用して全身で返球することができ、手のひらや手首、肘などの負荷の軽減にもなる。この親指と人差し指間の凹曲線（Ｒ）に合致する凸曲線（Ｒ）形状のプレートをテニスラケットなどのグリップに装着して解決するものである。【０００５】  図１の凸曲線（Ｒ）形状のプレートの９は凸曲線（Ｒ）である。プレートの幅の長さ１と２の間とテニスラケットグリップの幅の長さ１と２の間の長さは等しい。同様に５と６の間、２と３の間、４と５の間、６と７の間、１と８の間、３と４の間、７と８の間の幅の長さは等しい。プレートには、底面が平らなものと底面が凸曲線（Ｒ）形状のものがある。
凸曲線（Ｒ）形状のプレートを設けるためには、１０のとおりプレートに一定の厚みとプレートの左右に垂直な断面が必要である。プレートを一定の厚みにするのは、凸曲線（Ｒ）形状にすることやグリップの幅の上下や左右の長さを調節して、プレーヤーがグリップを握りやすくするためである。また、プレート幅の両端に垂直な断面を設けるのは、角体面のグリップと同様に、グリップを握ったときにラケット面がブレないようにグリップを保持するためである。
図１の拡大図（ア）が、底面が平らなプレートの設置例である。同（イ）が、底面が凸曲線（Ｒ）形状のプレートの設置例である。【０００６】  図２の１１から２８は凸曲線（Ｒ）を表している。円内に収まっている、グリップの外皮やエンドキャップを外した状態の八角形や六角形、四角形のグリップを底面から表したものである。この八角形や六角形、四角形の角が全て円に接点し収まるそれぞれの曲線が１１から２８の凸曲線（Ｒ）である。この凸曲線（Ｒ）を利用したものが凸曲線（Ｒ）形状プレートである。凸曲線（Ｒ）形状のプレートで底面が平らなものは、円からグリップ底の各形を除いた部分の１１から２８の凸曲線（Ｒ）のものを利用する。プレートとして利用する場合は、プレートの長さはグリップの長さを最長とし、プレートの厚さは一定の厚みとし、プレートの幅の長さはグリップの幅の長さと同じとし、プレートの幅の両端は垂直な断面とするものである。
底面が凸曲線（Ｒ）形状のプレートは、底面が角形の一辺と接する凸曲線（Ｒ）であり、それぞれ１１から２８の凸曲線（Ｒ）のものを利用する。プレートとして利用する場合は、プレートの長さはグリップの長さを最長とし、プレートの厚さは一定の厚みとし、プレートの幅の長さはグリップの幅の長さと同じとし、プレートの幅の両端は垂直な断面とする。また、１１から１２や１１から１３などの凸曲線（Ｒ）を一つにし、グリップの複数辺を一つにまとめた組み合わせのプレートを可能にするものである。【０００７】  図３アのグリップ底の八角形や六角形、四角形の角すべてが接点し収まる凸曲線（Ｒ）の円は、グリップ底の各形を等分する角を起点として、直線を引くとその線が円の直径３０と３１の間となる円である。その凸曲線（Ｒ）形状のプレートは、円からグリップ底の各形を除いた部分のそれぞれ１１から２８の凸曲線（Ｒ）の底面が平らなプレートや底面が凸曲線（Ｒ）形状のプレートがある。プレートとして利用する場合は、プレートの長さはグリップの長さを最長とし、プレートの厚さは一定の厚みとし、プレートの幅の長さはグリップの幅の長さと同じとし、プレートの幅の両端は垂直な断面とするものである。また、例えば凸曲線（Ｒ）２５と２７を利用して、プレートをグリップの上下に設け、握りやすくすることを可能にする。
また、図３イ左側のように、形が中心線から等分する八角形で、全ての角が円に接点しない凸曲線（Ｒ）は、円と接点している角の３３と３６を線で結び、次に同じく３４と３５を線で結んで、それぞれの線が交じり合う点３２を半径とした円の凸曲線（Ｒ）である。その凸曲線（Ｒ）を利用したものが、２９の凸曲線（Ｒ）形状のプレートである。図３イ右側のように、プレートとして利用する場合は、プレートの長さはグリップの長さを最長とし、プレートの厚さは一定の厚みとし、プレートの幅の長さはグリップの幅の長さと同じとし、プレートの幅の両端は垂直な断面とするものである。また、凸曲線（Ｒ）２９と２９ａを利用して、プレートをグリップの上下に設け、握りやすくすることを可能にするものである。【０００８】  図４の凸曲線（Ｒ）形状のプレートは、底面をグリップ形成部の外皮を剥がしたフレームの辺４１や４２、４３に接着しグリップとして一体化する。また、プレートの底面を外皮上の辺４１や４２、４３に接着しグリップとして一体化する。この場合には、上にグリップテープを巻いてプレートの安定を図ることが効果的である。【０００９】  図５の凸曲線（Ｒ）の底面が平らなプレートや底面が凸曲線（Ｒ）形状のプレートは、プレートの幅の長さ１と２の間とグリップの幅の長さ１と２の間の長さは等しい。同様に２と３の間、１と８の間のプレートとグリップの幅の長さは等しい。また、底面が凸曲線（Ｒ）形状のプレートは、プレートの幅の長さ８と２の間とグリップの幅の長さ８と２の間の長さは等しい。同様に１と３の間、８と３の間のプレートとグリップの幅の長さは等しい。
プレートの幅の長さとグリップの幅の長さを等しくさせるのは、プレートがグリップの辺として機能するためである。また、プレーヤーがグリップを握りやすくするためにプレートに一定の厚みがあり、プレートの幅の両端に垂直な断面を設けることによって角体面と同様の握りの効果が発揮される。
プレーヤーはグリップを握る箇所が様々であるので、底面が平らなプレートや底面が凸曲線（Ｒ）形状のプレートは、グリップの幅の広い辺４１や狭い辺４２、４３などに個々に設けることができる。なお、底面が凸曲線（Ｒ）形状のプレートは、４１と４２や４１と４３、４２から４３などを１つに組み合わせたものをグリップの辺に設けることができる。【００１０】  図６の凸曲線（Ｒ）形状のプレートの底面の長さ３７から３８はグリップの長さ３９から４０を最長とする。３７から３８の間や３７ａから３８の間、３７ｂから３８の間など任意の長さとする。プレーヤーによっては、プレートを短くし装着することによって、様々な箇所でグリップを握り、ボールを多彩に打ち分けることができるようにすることが可能になる。プレートのグリップエンド側は底面が上面より短く、底面から上面に向かって、グリップエンドの傾き４４に合わせた傾斜の形となる。プレートの上面の長さはグリップの長さの３９から４６のグリップエンドの傾斜の終点までの長さとする。このことによって、グリップと一体化を図ることができる。また、プレートのスロート側の上部は、４５の滑らかな曲線となる。このことによって、プレートの上端をグリップエンドとして又は握り替え箇所として使うことを可能とする。【００１１】  図７のように、凸曲線（Ｒ）形状のプレートの素材は、プレーヤーがグリップを握る感覚によりゴム製や合成樹脂などがある。硬さが固定のものや手の握りの圧力で収縮するもの、形状を記憶するものなどである。【００１２】  図８のように、プレーヤーはグリップにグリップテープを巻いてプレーするのが通常である。底面が平らなものや凸曲線（Ｒ）形状のもののプレートのグリップエンド側の端にグリップテープを付けて、プレートとグリップテープの一体化を図り、グリップテープとして使うことを可能にするものである。プレートの長さは、グリップの長さの３９から４６の間を最長とし、３７ｂから４６の間の長さのようにプレートの長さを自在にできるものである。
【考案の効果】
【００１３】  以上から、本考案の凸曲線（Ｒ）形状のプレートをテニスラケットやソフトテニスラケット、バドミントンラケット、卓球ラケットなど親指と人差し指間で握る辺に使うと、今までのような扁平した平らな長い面を握っている感覚ではなく、グリップが握りやすい状態になり、ボールをラケット面で一定時間保持ができ、手首の屈折も容易になる。また、セミウエスタンやウエスタンでグリップを握っても、全身の力を使った打ち方が可能になることや正確に安定した自在のボールを打つことができ、かつ打球の負荷を全身で受け止め、全身の力で返球することができるので、手のひらや手首、肘などの負荷の軽減にもなる。
なお、ラケットを製造する場合においても、プレーヤーの打法の多様性は、グリップの握り方の多様性を意味し、それに伴うグリップ形状の多様性はラケットの市販化を困難にすることになるので、凸曲線（Ｒ）形状のプレートはプレーヤーのほかラケットメーカーにおいても必須のアイテムになる。
【図面の簡単な説明】
【００１５】
【図１】プレートの形（正面図及び背面図）
【図２】凸曲線（Ｒ）
【図３ａ】円にグリップ底の全ての角が収まる凸曲線（Ｒ）
【図３ｂ】円にグリップ底の全ての角が収まらない凸曲線（Ｒ）
【図４】プレートとグリップの一体化（左側面図）
【図５】プレートの幅の長さ（平面図）
【図６】プレートの長さ（左側面図）
【図７】プレートの硬さ（正面図及び背面図）
【図８】グリップテープとしての活用（左側面図及び平面図）
【考案を実施するための形態】
【００１６】  この考案は、図１から図８にあるように凸曲線（Ｒ）形状のプレートを親指と人差し指間で握るグリップの辺に装着して、プレーヤーがグリップを握りやすく、ボールをラケット面で一定時間保持していくための手首の屈折が容易になる効果を発揮するものである。人間が物を掴み握りやすくするために、物には様々な凸曲線（Ｒ）がある。人間が物を掴むことや握るためには、親指と対向している人差し指や中指、薬指、小指を使う。これを拇指対向という。この拇指対向の機能は、人間が物を掴み握りやすくするために親指と対向する四指との間に凹曲線（Ｒ）があることを意味している。物を掴み握るときに最初に親指と対向するのは人差し指である。この親指と人差し指間の凹曲線（Ｒ）によって、手のひらである五指が物を掴み握るときの最大限の効果が発揮される。この機能を活かしたものが、親指と人差し指間の凹曲線（Ｒ）に合致した凸曲線（Ｒ）である。この凸曲線（Ｒ）形状のプレートを親指と人差し指間に装着すると、全身の力を使った打法が可能になることや正確に安定した自在のボールを打つことができ、かつ打球の負荷を全身で受け止め、全身の力で返球することができ、手のひらや手首、肘などの負荷の軽減になる。
【実施例】
【００１７】  以下、添付図に従って実施例を説明する。図３アの四角形のグリップは握りやすいものではないが、２５と２７の凸曲線（Ｒ）形状のプレートを装着すれば、球体面のような握りやすいグリップとなるのである。これはテニスラケットのグリップでも同様であり、図３イのように長辺の扁平八角形のグリップを、２９と２９ａの凸曲線（Ｒ）形状のプレートを上下に装着すれば、球体面のような握りやすいグリップになるのである。親指と人差し指間以外にも凸曲線（Ｒ）形状のプレートを使用することにより、握りやすいグリップとなり、プレーヤーのパフォーマンスの向上が図られる。【００１８】  握りやすいグリップであれば、グリップを握っても手首の屈折が可能となり、全身の力を使った打ち方で、正確にボールが打て、打球の負荷を受け止め、返球することができるので、手のひらや手首、肘などの負荷の軽減にもなる。【００１９】  また、プレーヤーのパフォーマンスが最大限効果的に発揮するためには、各図にあるように、プレートがグリップの辺として機能するためプレートの幅の長さとグリップの幅の長さを同じ長さにすることや凸曲線（Ｒ）形状にしグリップを握りやすくするためプレートに一定の厚みがあり、プレート幅の両端を垂直な断面にして角体面と同様のグリップ効果を発揮することやプレートの長さをグリップの長さにおいて自在にすることである。【００２０】  なお、前述のとおりグリップの辺の個々に装着する底面が平らなプレート及び底面が凸曲線（Ｒ）形状のプレートや複数の凸曲線（Ｒ）を一つにし、グリップの複数辺を一つにまとめて組み合わせた底面が凸曲線（Ｒ）形状のプレートを装着することも可能にするものである。【００２１】  プレートの素材は、図７のようにゴム製や合成樹脂などで、いずれも軽量のものであり、硬さが固定のものや手の握りの圧力で収縮するもの、形状を記憶するものなどである。また、プレーヤーはグリップにグリップテープを巻いてプレーをするので、図８のように、このプレートとグリップテープを一体化し、グリップテープとして使用することを可能にするものである。
【符号の説明】
【００２２】１２，５６，２３，４５，６７，１８，３４，７８    プレートの幅の長さとテニスラケットグリップの幅の長さ
９，１１，１２，１３，１４，１５，１６，１７，１８，１９，２０，２１，２２，２３，２４，２５，２６，２７，２８，２９，２９ａ    凸曲線（Ｒ）
１０                        プレートの一定の厚み
３０，３１                  円の直径
３３，３４，３５，３６      円に接している角
３２                        ３３と３６の間の線と３４と３５の間の線が交じり合う点４１，４２，４３            グリップの辺
３７，３７ａ，３７ｂ，３８  プレートの底面の長さ
３９，４０                  グリップの長さ
４４                        グリップエンドの傾きとプレートのグリップエンド側の形４５                        スロート側のプレート上部の滑らかな曲線
４６                        グリップエンドの傾斜の終点
【図１】
0003233782.tif 000003
【図２】
0003233782.tif 000004
【図３ａ】
0003233782.tif 000005
【図３ｂ】
0003233782.tif 000006
【図４】
0003233782.tif 000007
【図５】
0003233782.tif 000008
【図６】
0003233782.tif 000009
【図７】
0003233782.tif 000010
【図８】
0003233782.tif 000011
【手続補正書】
【提出日】令和3年2月10日(2021.2.10)
【手続補正１】
【補正対象書類名】実用新案登録請求の範囲
【補正対象項目名】全文
【補正方法】変更
【補正の内容】
【実用新案登録請求の範囲】
【請求項１】
テニスラケットやソフトテニスラケット、バドミントンラケット、卓球ラケットなどグリップを親指と人差し指間で握る辺において、
（１）  底面が平らなものであり、
（２）  一定の厚みがあり、
（３）  両端が垂直な断面であり、
以上の（１）〜（３）の構成からなる凸曲線（Ｒ）形状プレート。
【請求項２】
テニスラケットやソフトテニスラケット、バドミントンラケット、卓球ラケットなどグリップを親指と人差し指間で握る辺において、
（１）  底面が凸曲線（Ｒ）のものであり、
（２）  一定の厚みがあり、
（３）  両端が垂直な断面であり、
以上の（１）〜（３）の構成からなる凸曲線（Ｒ）形状プレート。
【請求項３】
グリップエンドカバーを外した状態のグリップ底の八角形や六角形、四角形の角のすべてに接点する円の凸曲線（Ｒ）形状を有するプレート。
【請求項４】
凸曲線（Ｒ）の円において、
（１）  グリップ底の八角形や六角形、四角形の角すべてが接点し、
（２）  接点から対角に線を引き、その線が最も長い線を直径とし、
以上の（１）、（２）の構成からなる凸曲線（Ｒ）形状プレート。
【請求項５】
凸曲線（Ｒ）の円において、
（１）  グリップ底の八角形で、角が４点のみ接点し、
（２）  接点から対角に線を引き、両線の交わる点を半径とし、
以上の（１）、（２）の構成からなる凸曲線（Ｒ）形状プレート。
【請求項６】
グリップ形成部の外皮を剥がしたフレーム上に接着し、グリップと一体化する形状を有する凸曲線（Ｒ）形状プレート。
【請求項７】
グリップ形成部の外皮上に接着し、グリップと一体化する形状を有する凸曲線（Ｒ）形状プレート。
【請求項８】
グリップを親指と人差し指間で握る辺の幅の長さと同じ幅の長さの形状を有する凸曲線（Ｒ）形状プレート。
【請求項９】
グリップの各辺の幅の長さと同じ幅の長さの形状を有する凸曲線（Ｒ）形状プレート。
【請求項１０】
グリップの長さを最長とする長さの形状を有する凸曲線（Ｒ）形状プレート。
【請求項１１】
両端の形状において、
（１）  プレートのグリップエンド側は底面が上面より短く、底面から上面に向かって、グリップエンドの高さに合わせた傾斜とし、
（２）  プレートのスロート側の上部は、滑らかな曲線とし、
以上の（１）、（２）の構成からなる凸曲線（Ｒ）形状プレート。
【請求項１２】
ゴム製や合成樹脂など硬さが固定の素材の形状を有する凸曲線（Ｒ）形状プレート。
【請求項１３】
ゴム製や合成樹脂など手の握りの圧力で収縮する素材の形状を有する凸曲線（Ｒ）形状プレート。
【請求項１４】
ゴム製や合成樹脂など形を記憶する素材の形状を有する凸曲線（Ｒ）形状プレート。
【請求項１５】
グリップテープを付けて、グリップテープの形状を有する凸曲線（Ｒ）形状プレート。
【手続補正書】
【提出日】令和3年5月17日(2021.5.17)
【手続補正１】
【補正対象書類名】実用新案登録請求の範囲
【補正対象項目名】全文
【補正方法】変更
【補正の内容】
【実用新案登録請求の範囲】
【請求項１】
テニスラケットやソフトテニスラケット、バドミントンラケット、卓球ラケットなどグリップを親指と人差し指間で握る辺において、
（１）  底面が平らなものであり、
（２）  一定の厚みがあり、
（３）  両端が垂直な断面であり、
以上の（１）〜（３）の構成からなる凸曲線（Ｒ）形状プレート。
【請求項２】
テニスラケットやソフトテニスラケット、バドミントンラケット、卓球ラケットなどグリップを親指と人差し指間で握る辺において、
（１）  底面が凸曲線（Ｒ）のものであり、
（２）  一定の厚みがあり、
（３）  両端が垂直な断面であり、
以上の（１）〜（３）の構成からなる凸曲線（Ｒ）形状プレート。
【請求項３】
グリップエンドカバーを外した状態のグリップ底の八角形や六角形、四角形の角のすべてに接点する円の凸曲線（Ｒ）形状を有するプレート。
【請求項４】
凸曲線（Ｒ）の円において、
（１）  グリップ底の八角形や六角形、四角形の角すべてが接点し、
（２）  接点から対角に線を引き、その線が最も長い線を直径とし、
以上の（１）、（２）の構成からなる凸曲線（Ｒ）形状プレート。
【請求項５】
凸曲線（Ｒ）の円において、
（１）  グリップ底の八角形で、角が４点のみ接点し、
（２）  接点から対角に線を引き、両線の交わる点を半径とし、
以上の（１）、（２）の構成からなる凸曲線（Ｒ）形状プレート。
【請求項６】
グリップ形成部の外皮を剥がしたフレーム上に接着し、グリップと一体化する形状を有する凸曲線（Ｒ）形状プレート。
【請求項７】
グリップ形成部の外皮上に接着し、グリップと一体化する形状を有する凸曲線（Ｒ）形状プレート。
【請求項８】
グリップを親指と人差し指間で握る辺の幅の長さと同じ幅の長さの形状を有する凸曲線（Ｒ）形状プレート。
【請求項９】
グリップの各辺の幅の長さと同じ幅の長さの形状を有する凸曲線（Ｒ）形状プレート。
【請求項１０】
グリップの長さを最長とする長さの形状を有する凸曲線（Ｒ）形状プレート。
【請求項１１】
両端の形状において、
（１）  プレートのグリップエンド側は底面が上面より短く、底面から上面に向かって、グリップエンドの高さに合わせた傾斜とし、
（２）  プレートのスロート側の上部は、滑らかな曲線とし、
以上の（１）、（２）の構成からなる凸曲線（Ｒ）形状プレート。
【請求項１２】
ゴム製や合成樹脂など硬さが固定の素材の形状を有する凸曲線（Ｒ）形状プレート。
【請求項１３】
ゴム製や合成樹脂など手の握りの圧力で収縮する素材の形状を有する凸曲線（Ｒ）形状プレート。
【請求項１４】
ゴム製や合成樹脂など形を記憶する素材の形状を有する凸曲線（Ｒ）形状プレート。
【請求項１５】
テニスラケットやソフトテニスラケット、バドミントンラケット、卓球ラケットなどグリップを親指と人差し指間で握る辺において、
（１）  プレート部分はその握る辺に装着し、
（２）  プレートに付けたテープ部分はプレート部分とグリップに巻き付けるものであり、
（３）  プレートにテープの帯を付けグリップテープとするものであり、
以上の（１）〜（３）の構成からなる凸曲線（Ｒ）形状プレート。